(57)【要約】      （修正有）【課題】狭い空間でも入隅コーナーを収納スペースとして活用できる後付け可能なコーナー入隅家具及び固定ブラケットを提供する。【解決手段】コーナー入隅家具固定ブラケット本体Ｚと家具固定締め付けナットＮ、家具固定締め付けワッシャーＷにて、ボルト締め付け家具本体裏板Ｐ１に設けた、家具締め付けボルト差し込み掘りこみ穴Ｈ及び、コーナー入隅家具本体をボルト差し込み穴Ｘに、家具取り付け固定締め付けボルトＢをコーナー入隅家具本体をボルト差し込み穴Ｘに差し込む構造で、家具固定締め付けワッシャーＷを家具取り付け固定締め付けボルトＢに入れて、家具締め付け固定ナットＮで締め付けてコーナー入隅家具を入隅の壁に固定する。【選択図】図２
2017000682.tif 000002
【特許請求の範囲】
【請求項１】
スティール製コーナー入隅家具固定ブラケット本体（Ｚ）に家具固定締め付けボルト（Ｂ）を設け、コーナー入隅家具固定ブラケット本体（Ｚ）と家具固定ボルト頭（ｂ）に溶接固定（ｙ）を施し、コーナー入隅家具固定ブラケット本体（Ｚ）にコーススレッドビス差し込み穴（ａ）をコーナー入隅家具固定ブラケット本体（Ｚ）背面に２個所に設け、及びコーススレッドビス締め付けドライバーピット差し込み穴（Ａ）を中央家具取り付け固定締め付けボルト（Ｂ）の正面上下に２個所に設け、後に一体とした金物を焼き付け塗装を施したものを、コーナー入隅家具固定ブラケット本体（Ｚ）と家具固定締め付けナット（Ｎ）、家具固定締め付けワッシャー（Ｗ）にて、ボルト締め付け家具本体裏板（Ｐ１）に設けた、家具締め付けボルト差し込み掘りこみ穴（Ｈ）及び、コーナー入隅家具本体をボルト差し込み穴（Ｘ）に、家具取り付け固定締め付けボルト（Ｂ）をコーナー入隅家具本体をボルト差し込み穴（Ｘ）に差し込む構造で、家具固定締め付けワッシャー（Ｗ）を家具取り付け固定締め付けボルト（Ｂ）に入れて、家具締め付け固定ナット（Ｎ）で締め付けてコーナー入隅家具を入隅の壁に固定する、後付け可能なコーナー入隅家具及び固定ブラケットである。
【発明の詳細な説明】
【技術分野】
【０００１】この発明は、後付けコーナー入隅家具及び固定ブラケットに関するものである。
【背景技術】
【０００２】従来は予めコーナー入隅家具を取り付ける場合などは、建物内装工事中に家具取付け用の下地を間柱と間柱の間の躯体に入れておかなければならず、そのほかにコーナー入隅家具本体に数か所の穴を側面に開け壁下地にビス止めをして固定しなければならないが、後から計画には無い、コーナー入隅部分の内装工事のクロス貼りが仕上がった、コーナー入隅の壁に、後付けでコーナー入隅家具を取り付けようとしても家具を固定する下地が殆ど入っていない為、内装工事のクロス貼りが仕上がった後からは、コーナー入隅家具の取り付けは不可能であった。
【発明の開示】
【発明が解決しようとする課題】
【０００３】これは、次のような欠点があった。入り隅の壁には、家具を固定する下地として使う間柱は等間隔に入っているのが通常で、間柱の間隔は芯から芯で４５５ｍｍが一般的で、後から小さめなコーナー入隅家具２００ｍｍ巾及び３００ｍｍ巾などを、間柱から間柱の下地の入っていない間に取り付ける場合は、予めビスで家具を固定する下地を内装工事中に入れておかなければならず、内装工事のクロス貼りが仕上がった後からコーナー入隅家具を取り付けることが出来なかった。後付けである、このコーナー入隅家具及び固定ブラケットを利用すれば内装工事が完了した、壁クロスを貼った後でも取り付けが可能である。従来は内装工事中に間柱と間柱の間の躯体に家具固定用の下地を入れなければならず、壁の仕上げが完成してしまえば家具を取り付けられないのが実情であった。特にコーナー入隅には家具を取り付ける慣習が無く、殆どの建物の壁には家具取付け用の下地が無い状態である為、後からコーナー入隅家具を取り付けるのは不可能であった。完成した住宅に住んでみると入隅のコーナーに物を置くスペースが見えてきても、コーナー入隅に後からは家具を取り付けられないのが弱点であった。本発明は以上の欠点を無くす為になされたものである。
【課題を解決するための手段】
【０００４】スティール製コーナー入隅家具固定ブラケット本体（Ｚ）に家具固定締め付けボルト（Ｂ）をコーナー入隅家具固定ブラケット本体（Ｚ）に設け、家具固定ボルト頭（ｂ）とコーナー入隅家具固定ブラケット本体（Ｚ）に溶接固定（ｙ）を施し、コーススレッドビス差し込み穴（ａ）をコーナー入隅家具固定ブラケット本体（Ｚ）背面上下に２個所に設け、及びコーススレッドビス締め付けドライバーピット差し込み穴（Ａ）を家具取り付け固定締め付けボルト（Ｂ）中央正面上下に２個所に設け、家具固定ボルト頭（ｂ）を（Ｚ）本体に溶接固定（ｙ）を施した後、全体を焼き付け塗装して仕上げたものを、家具固定締め付けナット（Ｎ）、家具固定締め付けワッシャー（Ｗ）にて、ボルト締め付け家具本体裏板（Ｐ１）に設けた、家具締め付けボルト差し込み掘りこみ穴（Ｈ）及び、入隅家具本体をボルト差し込み穴（Ｘ）に家具取り付け固定締め付けボルト（Ｂ）を差し込み、家具固定締め付けワッシャー（Ｗ）を家具取り付け固定締め付けボルト（Ｂ）に入れて、家具締め付け固定ナット（Ｎ）を、ナット締め付けラジェット及び電動ナットドライバービットで締め付け固定する。以上の構成よりなる後付け可能なコーナー入隅家具及び固定ブラケットである。
【発明の効果】
【０００５】入り隅の壁には家具を固定する下地は等間隔ににしか入っていない為、後からコーナー入隅家具を取り付ける場合は予めビスで固定する下地を入れておかなければならず、後からコーナー入隅家具を取り付けることが出来なかった。間柱の間隔は芯から芯で４５５ｍｍが一般的で、後から小さめなコーナー入隅家具を取り付ける場合は、間柱と間柱の間に、予めビスで固定する下地を入れておかなければならず、このコーナー入隅用家具固定ブラケットを利用すれば内装工事が完了した、壁クロスを貼った後でも２００ｍｍ巾や３００ｍｍ巾の小さめなコーナー入隅家具を、間柱と間柱の間の下地の入っていない個所にコーナー入隅家具が取り付け可能になる。従来は建物を建てるときに家具を付ける個所には固定用の下地を入れなければならず、壁の仕上げが完成してしまえば家具を取り付けられないのが実情であった。特にコーナー入り隅には家具を取り付ける慣習が無く、殆どの建物の壁には下地が無い状態である為コーナー入隅家具を取り付けるのは不可能であった。後から完成した住宅に住んでみると入隅のコーナーに物を置くスペースが見えてきても、後からは家具を取り付けられないのが弱点であったが、建物には入隅及び入隅の間仕切り壁には必ず隅柱やスタットなどの躯体の柱が必ず入っているので、このコーナー入隅家具及び固定ブラケットを使えば２個所のボルトの締め付けだけで簡単に入隅のスペースに、コーナー入隅家具が固定できるので、今まで無駄であった空間がコーナー収納スペースとなり、狭い空間でもコーナー入隅部分を収納スペースとして活用できる。
【発明を実施する為の裁量の形態】
【００６】  以下本発明を実施する為に最良の形態について説明する。スティール製コーナー入隅家具固定ブラケット本体（Ｚ）に家具固定締め付けボルト（Ｂ）をコーナー入隅家具固定ブラケット本体（Ｚ）に設け、家具固定ボルト頭（ｂ）とコーナー入隅家具固定ブラケット本体（Ｚ）本体に溶接固定（ｙ）を施し、コーススレッドビス差し込み穴（ａ）をコーナー入隅家具固定ブラケット本体（Ｚ）背面に上下に２個所に設け、コーススレッドビス締め付けドライバーピット差し込み穴（Ａ）を家具取り付け固定締め付けボルト（Ｂ）の中央部上下に２個所に設け、コーナー入隅家具固定ブラケット本体（Ｚ）と家具固定ボルト頭（ｂ）に溶接固定（ｙ）を施し金物全体を一体とした後、焼き付け塗装して仕上げたものを、ステンレスコーススレッドビス９０ｍｍ（Ｃｂ）にて、建物躯体入隅柱及び入隅スタット（Ｓ）へ、コーススレッドビス締め込み用ドライバーピット差し込み穴（Ａ）に電動ドライバービットを差し込み、コーススレッドビス差し込み穴（ａ）２個所にステンレスコーススレッドビス９０ｍｍ（Ｃｂ）で強固に建物躯体入隅柱及び入隅スタット（Ｓ）へ強固に締め付け固定して、ボルト締め付け家具本体裏板（Ｐ１）に設けた、家具締め付けボルト差し込み掘りこみ穴（Ｈ）、入隅家具本体をボルト差し込み穴（Ｘ）へ、家具取り付け固定締め付けボルト（Ｂ）を差し込み、家具固定締め付けワッシャー（Ｗ）を家具取り付け固定締め付けボルト（Ｂ）に入れて、家具締め付け固定ナット（Ｎ）を電動ナットドライバーピットかナット締め付けラジェットでコーナー入隅家具本体を締め付け固定し、最後に家具締め付けボルト差し込み掘りこみ穴（Ｈ）へ、家具取り付けボルト掘りこみ穴塞ぎキャップ（Ｃ）を取付けし、穴を塞げば良い。
【図面の簡単な説明】
【０００７】
【図１】コーナー入隅家具ブラケット正面図・側面図・背面図・断面図
【図２】コーナー入隅家具ブラケット断面詳細図
【図３】家具全体正面図・断面図
【図４】家具全体平面図・断面図
【符号の説明】
【０００８】（Ｚ）      コーナー入隅家具固定ブラケット本体
（ａ）      コーススレッドビス差し込み穴
（Ａ）      コーススレッドビス締め込み用ドライバーピット差し込み穴
（Ｂ）      家具取り付け固定締め付けボルト
（ｂ）      家具取り付け固定ボルト頭
（Ｈ）      家具締め付け固定ボルト差し込み掘りこみ穴
（Ｃ）      家具取り付け固定ボルト掘りこみ穴塞ぎキャップ
（Ｘ）      入隅家具本体固定ボルト差し込み穴
（Ｃｂ）    ステンレスコーススレッドビス９０ｍｍ
（Ｓ）      建物躯体入隅柱及び入隅スタット
（Ａ）      コーススレッドビス締め込み用ドライバーピット差し込み穴
（Ｗ）      家具固定締め付けワッシャー
（Ｎ）      家具固定締め付けナット
（ｙ）      家具取り付け固定ボルト溶接個所
（Ｐ−１）  固定ボルト締め付け家具本体裏板
（Ｐ−２）  家具本体左右側板
（Ｔ）      可動棚板及び天板並びに底板
【図１】
2017000682.tif 000003
【図２】
2017000682.tif 000004
【図３】
2017000682.tif 000005
【図４】
2017000682.tif 000006